(57)【要約】【課題】  書籍の特定したページの任意の特定の箇所に磁気的に貼り付ける書籍用しおりを提供することを目的とする。【解決方法】シートと該シートの表面の任意位置に磁力で吸着されるしおり片とを含んで構成されて、該シートと該しおり片とで書籍の任意のページを挟んで該シートに該しおり片を吸着させることで、該ページ上の任意の特定位置を示すことができるようにした書籍用しおりを開示する。【選択図】  図２
2010221681.tif 000002
【特許請求の範囲】
【請求項１】
シートと該シートの表面の任意位置に磁力で吸着されるしおり片とを含んで構成されて、該シートと該しおり片とで書籍の任意のページを挟んで該シートに該しおり片を吸着させることで、該ページ上の任意の特定位置を示すことができるようにした書籍用しおり。
【請求項２】
前記シートが強磁性を有し、前記しおり片には永久磁石の性質が備わっている、請求項１に記載の書籍用しおり。
【請求項３】
前記しおり片の永久磁石部分の上面または上面及び側面を、鉄キャップ、強磁性体板、或いは磁気シールドシートまたは非強磁性の素材で被覆し、前記永久磁石部分の前記シートと吸着させる面つまり下面の吸着力が、前記永久磁石部分の上面または上面及び側面の吸着力を、上回るように構成された請求項２に記載の書籍用しおり。
【請求項４】
シートが永久磁石性で、しおり片に強磁性が備わっている、請求項１に記載の書籍用しおり。
【請求項５】
請求項４に記載のしおり片の強磁性体部分の上面または上面及び側面を、非強磁性の素材で被覆し、前記強磁性体部分の前記シートと吸着させる面つまり下面の吸着力が、前記強磁性体部分の上面または上面及び側面の吸着力を、上回るように構成された請求項４に記載の書籍用しおり。
【請求項６】
シートが永久磁石性で、しおり片にも永久磁石の性質が備わっている請求項１に記載の書籍用しおり。
【請求項７】
請求項６に記載のしおり片の永久磁石部分の上面または上面及び側面を、強磁性または非強磁性の素材で被覆し、前記永久磁石部分の前記シートと吸着させる面つまり下面の吸着力が、前記永久磁石部分の上面または上面及び側面の吸着力を、上回るように構成された請求項６に記載の書籍用しおり。
【発明の詳細な説明】
【技術分野】
【０００１】
本発明は、書籍などに挟んで使用する磁石付きしおりに関する。
【背景技術】
【０００２】
従来の磁石付きしおりは、例えば特許文献１に開示するように、磁石の磁気的吸着力を利用することで、しおりが本から抜け落ちないような作りになっている。
【０００３】
また、このような構成では、開けておきたいページが勝手に閉じてしまわぬように、ページを押さえておくという効果を有する。
【０００４】
更に、別の従来技術では、例えば特許文献２に開示するように、ページをめくり続けても、開けたページに自動的にしおりが差し込まれていく構成も存在する。
【先行技術文献】
【特許文献】
【０００５】
【特許文献１】実開平６−１７９５７号公報（第２頁、図２）
【特許文献２】特開２００８−６８６３１号公報（第１０頁、図４）
【発明の概要】
【発明が解決しようとする課題】
【０００６】
従来の磁石付きしおりを、あらかじめ書籍に装着しておれば、特定したページを容易に開くことができる。
【０００７】
しかしながら、このような従来のしおりでは、特定したページを開いた後、そのページ中のどの文字から読めばよいかまでは、印づけするには不十分であった。
【０００８】
本願発明では上記のような不十分さを補うべく、特定したページ中の、特定した箇所に、磁気的に貼り付ける書籍用しおりを提供することを、目的とする。
【課題を解決するための手段】
【０００９】
本願発明では、シートと該シートの表面の任意位置に磁力で吸着されるしおり片とを含んで構成されて、該シートと該しおり片とで書籍の任意のページを挟んで、該シートに該しおり片を吸着させることで、該ページ上の任意の特定位置を示すことができるようにした、書籍用しおりを開示する。
【００１０】
ところで、本願発明では、強磁性の定義を、フェロ磁性とフェリ磁性の両方を含むものとするが、ただし、強磁性体自体は鉄を吸着しないものとする。
【００１１】
本願発明の前記書籍用しおりは、シートとしおり片とから成るが、シートが強磁性を有し、しおり片に永久磁石の性質が備わっている場合と、逆に、シートが永久磁石性で、しおり片に強磁性体の性質が備わっている場合と、その他、シートが永久磁石性でしおり片にも永久磁石の性質が備わっている場合とがあるものとする。
【００１２】
よって、目印を付けたいページまで書籍を開き、そのページのすぐ裏側に、下敷きのように前記シートを敷くことで、前記シートの真上部分に当たるページ上は、前記しおり片を置けば即、吸着できる状態となる。
【００１３】
従ってそのページ上では、前記しおり片を置いて吸着させることで、前記しおり片で任意の特定箇所を指し示すことが可能となる。
【００１４】
更に本願発明では、シートが強磁性を有し、しおり片に永久磁石が取り付けられている場合に、該しおり片の永久磁石の上面または上面及び側面を、鉄キャップ、強磁性体板、或いは磁気シールドシートで被覆することにより、前記永久磁石の下面つまり吸着面の吸着力が、他の面の吸着力を上回るように構成された書籍用しおりを開示する。
【００１５】
このように構成することで、見開き両ページの裏面にそれぞれ前記シートを敷いて、前記しおり片を吸着させ本を閉じた場合でも、所定のページに対して前記しおり片を安定した状態で磁気的に吸着させることが可能となる。
【発明の効果】
【００１６】
本願発明に係る書籍用しおりは、ページ裏面にシートを敷くため、従来の磁石付きしおりと異なり、読書中にページの任意の箇所にしおり片を吸着させることが出来る。
【００１７】
この点で、ページ裏面の永久磁石に吸着させて特定ページの目印とする従来の磁石付きしおりと異なり、例えば一文字読み進めるごとに、しおり片を一文字毎、或いは一文章毎に、ページ全体の任意の箇所に移動させることも可能となる。
【００１８】
なお本願発明の書籍用しおりでは、シートとしおり片とが磁力により相互に吸着する構造であるため繰り返し何度でも移動吸着させることが可能である。
【００１９】
一方、従来の糊付箋で代用した場合、糊付箋の位置を貼りかえるたびに、粘着力が弱まる不具合がある。
【００２０】
すなわち本願発明では、磁力を利用しているため粘着力が弱まる心配がなく、何度でも繰り返し使用することができるという大きな利便性を有する。
【００２１】
このように本願発明の書籍用しおりでは、ページの中の文章にしおり片で目印さえ付けておけば、読書を一時停止した場合でも、次にどこから読めばよいのかが一目で分かり効率的である。
【００２２】
このため、例えどんなに細切れの時間しかない場合でも、その時間を最大限に活かして読書を進めることができる。
【００２３】
勿論、本願発明に係る書籍用しおりを使って、目的のページをすぐに開くこともできる。
【００２４】
これはシートとしおり片との間に、目的のページを挟み込んで吸着させているため、目的のページが開きやすい状態になっているからである。
【００２５】
また、ページを挟んで、しおり片がシートと磁気で吸着し合っていることで、しおり片が本から抜け落ちにくくなっていることは、言うまでもない。
【図面の簡単な説明】
【００２６】
【図１】本願発明に係る書籍用しおりの一例を示した平面図である。
【図２】本願発明に係る書籍用しおりの一例を、書籍に装着した状態を示す斜視図である。
【図３】本願発明に係る書籍用しおりの一例を、書籍の見開き両ページに装着した状態を示す斜視図である。
【図４】他の実施例に係るしおり片に装着された鉄キャップ付き永久磁石の吸着面を示した平面図である。
【図５】図４に示した、しおり片に装着された鉄キャップ付き永久磁石の吸着面とは反対側の面を示した平面図である。
【図６】図４に示したしおり片に装着された鉄キャップ付き永久磁石の側面図である。
【図７】更に他の実施例に係るしおり片に装着された強磁性体板付き永久磁石を示した側面図である。
【図８】更に他の実施例に係るしおり片に装着された磁気シールドシート付き永久磁石を示した平面図である。
【図９】図8に示した磁気シールドシート付き永久磁石の裏面を示した平面図である。
【発明を実施するための形態】
【００２７】
図１には本願発明に係る書籍用しおりの一例が図示されており、シートが強磁性を有し、しおり片には永久磁石が取り付けられている場合の一例である。
【００２８】
書籍用しおり１は、シート２としおり片３とで構成されている。
【００２９】
また図２には、この書籍用しおり１を書籍１００に装着した状態が図示されている。
【００３０】
シート２の大きさは、書籍１００の片面１ページ分と略同サイズあることが望ましい。
【００３１】
しかし、だいたい２分の１ページ分程のサイズさえあれば、縦向きの書籍１００には横向きにシート２を挟みこむことで、シート２がページの隙間に入り込んでしまうのを防ぐことができる。
【００３２】
また、横向きにシート２を挟むことで、ページの上半分か下半分かは、しおり片３を吸着させられる状態になるため、ページ上の目印を付けたい箇所に応じて、シート２を上半分か下半分にスライドさせて使用すればよい。
【００３３】
このシート２は、Ｂ６判の大きささえあれば、比較的様々な本に対応することが出来る。
【００３４】
シート２の素材は、ステンレスシート等を含む如何なる種類の強磁性金属シートでもよく、また、金属粉を含有した強磁性プラスチックシートでもよい。
【００３５】
その他永久磁石を吸着する物性を有するものであれば、如何なる材料でもよい。
【００３６】
しおり片３は、一例として、しおり本体部４の端部分に永久磁石５を取り付けることにより構成されている。
【００３７】
しおり本体部４の素材は、透明なプラスチック系素材が望ましい。
【００３８】
また永久磁石５は、薄く小さなサイズでも強い吸着力を持つネオジム磁石やサマリウムコバルト磁石が望ましい。
【００３９】
しおり片３は、しおり本体部４を構成する素材で、永久磁石５を両面から覆い、接着することによって、錆び止め効果がでるように構成してもよい。
【００４０】
また、しおり本体部４の色を透明にすると、しおり片３を書籍１００のページ上に置いた時に永久磁石５の陰で隠れる文字以外は透視できるため、より使いやすい。
【００４１】
このように、シート２としおり片３とで構成された本願発明に係る書籍用しおり１の使用方法は、図２および図３に示すように、まず目印を付けたいページの裏面にシート２を挟み、そのページ上の任意の箇所に、しおり片３を置く。
【００４２】
そうすると、しおり片３に取り付けられた永久磁石５が、そのページの裏面に挟んだシート２と磁気的に吸着し、しおり片３がページ上に吸着される。
【００４３】
その場合、しおり片３の先端に設けられた例えば矢印等の目印が、特定の文章や文字を指し示すように配置すれば、しおりとして機能させることが可能となる。
【００４４】
なお上記本願発明に係る書籍用しおり１では、シート２が強磁性体であり、しおり片３には永久磁石の性質が備わっていることを前提に、シート２としおり片３が書籍等のページをその間に介して磁気的に吸着する構成を開示したが、本願発明はこの構成に限定することなく、この構成とは反対にシート２を永久磁化させて、しおり片３を強磁性体で構成することで双方を同様に磁気的に吸着させてもよい。その他、シート２を永久磁化させて、しおり片３にも永久磁石の性質を備えることで磁気吸着させてもよい。
【００４５】
次に、例えば磁力の強い永久磁石５がしおり片３に取り付けられている場合、書籍用しおり１を、キャッシュカードや携帯電話などに近づけられず、持ち運び等に不便というデメリットがある。
【００４６】
これを少しでも解消するために、他の実施例では図４、図５および図６に示すように、シート２に吸着させる吸着面だけを残して、残りの面は全て鉄で覆った永久磁石５、つまり、鉄キャップ付き永久磁石５１を、しおり片３用に使うことで、シート２に吸着させた状態においては、書籍用しおり１の外側に漏洩する磁気を少しでも封鎖できる構成にしてもよい。
【００４７】
これは永久磁石５に接着剤５３で鉄キャップ５２を貼り付けたものである。
【００４８】
また、鉄キャップ付き永久磁石５１は、既存のものだと５ミリ程度の厚みがあるものがほとんどである。
【００４９】
厚さ５ミリのものを書籍１００に挟んだまま、本を閉じると、本がしっかり閉じられない。
【００５０】
しかし、厚みの薄い鉄キャップ付き永久磁石５１をオーダーメイドすると、コストがかかり過ぎるという不具合が存在する。
【００５１】
そこで、他の実施例では、シート２と同じ素材の強磁性体板５５を、永久磁石５の吸着面と同じか、それよりも一回り大きいサイズにカットして、図７のように、吸着面の反対側の面だけにとり付けた強磁性体板付き永久磁石５４を使用してもよい。
【００５２】
この場合、しおり片３用に使う永久磁石５の吸着力を、シート２の重量を下回らない程度にすることで、磁気が外に漏れるのを必要最小限に抑えることが出来る。
【００５３】
また更に別の実施例では、図８および図９に示すように、パーマロイが主原料の磁気シールドシート５７を、永久磁石５の吸着面とその側面も覆えるサイズにカットして、吸着面の反対側の面からかぶせた磁気シールドシート付き永久磁石５６を、しおり片３用に使用すると、磁気遮断効果を更に得ることが可能となる。
【００５４】
この場合のコストは、厚みの薄い鉄キャップ付き永久磁石５１をオーダーメイドするよりも、はるかに抑えることが出来る。
【００５５】
尚、永久磁石５に上記のような工夫を加えると、吸着面の吸着力を、その反対側の面よりも当然強くすることが出来る。
【００５６】
またしおり片３のしおり本体部４を形成する素材の厚みを、吸着面の反対側の面にはより厚いものを使うことで、吸着面の吸着力が、その反対側の面よりも強くなるように構成してもよい。
【００５７】
また、先述の鉄キャップ、強磁性体板、磁気シールドシートをそれぞれ、少し厚みのある、その他の素材に置き換えるだけでも、吸着面の吸着力を、その反対側の面よりも強くすることが可能である。
【００５８】
このように構成することで、図３のように見開き両ページで書籍用しおり１を使用し、そのまま書籍１００を閉じた場合でも、しおり片３が両方のページのシート２に吸着してしまう不具合を、しおり片３の表面と裏面の磁力差を利用して解消することができる。
【００５９】
さらに、見開き両ページの裏面にシート２を敷いてページをめくっていく場合、例えば読み終わったページに関しては、ページをめくるたびにシート２を次ページに入れ替えていかなくとも、ページだけをめくり、開けたページ上にしおり片３を置き直していくことで、複数ページを同時に挟んでいくことができる。
【００６０】
ただし、間に複数ページを挟んでいくため、しおり片３の永久磁石５とシート２との吸着力が保てるうちは、という条件つきである。
【００６１】
また、しおり片３用に使われている永久磁石５の磁力が強力な場合、見開き両ページにシート２を挟む際、あらかじめ、読んでいるページの複数ページ先になるように、シート２を挟んでおけば、ページをめくるたびにシート２を入れ替えていく手間を減らすことが出来る。
【００６２】
この場合、しおり片３が2個あれば、１つはページおさえの補助として、もう1つは読みかけの箇所を指し示す目印に使うこともできる。
【符号の説明】
【００６３】
１・書籍用しおり
２．シート
３．しおり片
４．しおり本体部
５．永久磁石
５１．鉄キャップ付き永久磁石
５２．鉄キャップ
５３．接着材
５４．強磁性体板付き永久磁石
５５．強磁性体板
５６．磁気シールドシート付き永久磁石
５７．磁気シールドシート
１００・書籍
【図１】
2010221681.tif 000003
【図２】
2010221681.tif 000004
【図３】
2010221681.tif 000005
【図４】
2010221681.tif 000006
【図５】
2010221681.tif 000007
【図６】
2010221681.tif 000008
【図７】
2010221681.tif 000009
【図８】
2010221681.tif 000010
【図９】
2010221681.tif 000011
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
強磁性を有するシートと永久磁石の性質を有するしおり片とを含んで構成されて、該シートと該しおり片とで書籍の任意のページを挟んで該シートに該しおり片を吸着させることで、該ページ上の任意の特定位置を示すことができるようにした書籍用しおりにおいて：
前記しおり片の永久磁石部分の上面または上面及び側面を、鉄キャップ、強磁性体板、或いは磁気シールドシートまたは非強磁性の素材で覆い、前記シートと吸着させる面となる該しおり片の永久磁石部分の吸着面、つまり該しおり片の永久磁石部分の下面の吸着力が、該しおり片の永久磁石部分の上面または上面及び側面の吸着力を、上回るように構成された前記書籍用しおり。
【請求項２】
永久磁石の性質を有するシートと強磁性を有するしおり片とを含んで構成されて、該シートと該しおり片とで書籍の任意のページを挟んで該シートに該しおり片を吸着させることで、該ページ上の任意の特定位置を示すことができるようにした書籍用しおりにおいて：
前記しおり片の強磁性体部分の上面または上面及び側面を非強磁性の素材で覆い、前記シートと吸着させる面となる該しおり片の強磁性体部分の吸着面、つまり該しおり片の下面の吸着力が、該しおり片の強磁性体部分の上面または上面及び側面の吸着力を、上回るように構成された前記書籍用しおり。
【請求項３】
永久磁石の性質を有するシートと永久磁石の性質を有するしおり片とを含んで構成されて、該シートと該しおり片とで書籍の任意のページを挟んで該シートに該しおり片を吸着させることで、該ページ上の任意の特定位置を示すことができるようにした書籍用しおりにおいて：
前記しおり片の永久磁石部分の上面または上面及び側面を、強磁性または非強磁性の素材で覆い、前記シートと吸着させる面となる該しおり片の永久磁石部分の吸着面、つまり該しおり片の永久磁石部分の下面の吸着力が、該しおり片の永久磁石部分の上面または上面及び側面の吸着力を、上回るように構成された前記書籍用しおり。